(57)【要約】【課題】既存の水栓金具に発光手段及び発電機能を容易に安価に付与することができる水力発電照明装置を提供する。【解決手段】洗面台又は流し台１の上面に台座部２を取り付けると共に該台座部２に水栓金具３を固定した。前記台座部２内に流水路２０を形成して該流水路２０に発電機４を配設すると共に、台座部２の表面部に前記発電機４によって発光される発光手段５を設けた。台座部２の流水路２０の上流端と給水管６とを接続すると共に、台座部２の流水路２０の下流端と水栓金具３の内部に設けてある通水路３０とを接続した。【選択図】        図１
2004353200.tif 000002
【特許請求の範囲】
【請求項１】
洗面台又は流し台の上面に台座部を取り付けると共に該台座部に水栓金具を固定し、前記台座部内に流水路を形成して該流水路に発電機を配設すると共に、台座部の表面部に前記発電機によって発光される発光手段を設け、台座部の流水路の上流端と給水管とを接続すると共に、台座部の流水路の下流端と水栓金具の内部に設けてある通水路とを接続して成ることを特徴とする水力発電照明装置。
【発明の詳細な説明】
【０００１】
【発明の属する技術分野】
本発明は、水栓金具を有する洗面台又は流し台の水力発電照明装置に関するものである。
【０００２】
【従来の技術】
従来より、洗面台又は流し台に取り付けられる水栓金具に発光手段を設けた照明装置が用いられている（例えば特許文献１参照）。
【０００３】
この特許文献１の照明装置は、水栓金具に発光手段としてＬＥＤを備え付けたもので、更に通水路に発電機を設けてこれを電源としてＬＥＤを発光させることも可能となっている。
【０００４】
しかしながら、このものにあっては、水栓金具自体に発光手段を備え付けたものであるため、種々の水栓金具に発光手段を設けようとすると、各種の水栓金具にそれぞれ発光手段を設ける必要が生じ、水栓金具の設計及び製造コストが膨大となるものであった。また、既存の水栓金具に発光手段を設ける際、水栓金具を別途取り替える必要があるため、ユーザーの費用負担も大きいものであった。
【０００５】
【特許文献１】
特開２００１−１２３４８６号公報
【０００６】
【発明が解決しようとする課題】
本発明はこのような点に鑑みてなされたものであり、その目的とするところは、既存の水栓金具に発光手段及び発電機能を容易に安価に付与することができる水力発電照明装置を提供することを課題とするものである。
【０００７】
【課題を解決するための手段】
上記課題を解決するために請求項１に係る水力発電照明装置は、洗面台又は流し台１の上面に台座部２を取り付けると共に該台座部２に水栓金具３を固定し、前記台座部２内に流水路２０を形成して該流水路２０に発電機４を配設すると共に、台座部２の表面部に前記発電機４によって発光される発光手段５を設け、台座部２の流水路２０の上流端と給水管６とを接続すると共に、台座部２の流水路２０の下流端と水栓金具３の内部に設けてある通水路３０とを接続して成ることを特徴とするものである。このような構成とすることで、既存の水栓金具３をそのまま用いて発光手段５及び発電機４を設けることができる。
【０００８】
【発明の実施の形態】
以下、本発明を添付図面に示す実施形態に基づいて説明する。本発明における水力発電照明装置は、水栓金具を有する洗面台又は流し台に発光手段及び発電機４を設けたものである。
【０００９】
水栓金具３は、図３に示すように、ハンドル式やレバー式（上吐水、下吐水式）等どのような方式でもよく、また、単水栓や混合栓等の限定もなされないが、本実施形態では水栓金具３としてシングルレバー混合栓を用いる。水栓金具３は、内部に通水路３０が設けられるもので、本実施形態では、水用の通水路３０ａと湯用の通水路３０ｂの二つの通水路３０が設けてあり、その下流端は合流して吐水口３１となっている。通水路３０は、水栓金具３内の上下に挿通されて更に下方に突出する配水管からなり、水用の通水路３０ａの下端部は後述する台座部２の流水路２０に接続される。また、水栓金具３には、下方に突出して外周表面に雄ねじ（図示せず）が螺設してあるボルト状の突起３２が設けてある。そして、この水栓金具３は、台座部２を介して洗面台又は流し台（本実施形態では流し台１）の上面であるカウンター面１１に固定される。
【００１０】
台座部２は、図１及び図２に示すように、略円柱状をした台座本体２１と、該台座本体２１の上端部に設けられる台座カバー２２とからなる。
【００１１】
台座本体２１は、外周面の上端部近傍にフランジ部２３が形成してある。この台座本体２１の直径は後述する流し台１のカウンター面１１に形成される貫通穴１２の直径よりも小さく、またフランジ部２３の直径は前記貫通穴１２よりも大きくなるよう形成してあり、フランジ部２３をカウンター面１１の貫通穴１２の周縁部に載置して配置する。また、台座本体２１のフランジ部２３より下方の外周面には雄ねじ（図示せず）が螺設してあり、後述するナット部材２８が螺着される。
【００１２】
台座本体２１には、内部に後述する発電機４を配設するための流水路２０が形成してあり、この流水路２０の上流端に水道の給水管６を接続すると共に、下流端に上記水栓金具３の通水路３０の上流端が接続される。流水路２０は、上流端と下流端とがともに台座本体２１の下端面に形成される略逆Ｕ字状となっているが、下流端が上端面に形成される略直線状としてもよい。また、流水路２０の下流端には上記水栓金具３の二つの通水路３０のうち水用の通水路３０ａの上流端を接続するものであるが、台座本体２１内に流水路２０を二つ形成して水用と湯用の両方をそれぞれ接続するようにしてもよい。なお、本実施形態では、台座本体２１を更に本体２１ａと小蓋部２１ｂとで構成し、小蓋部２１ｂを本体２１ａから取り外して発電機４を埋設し、その後再び小蓋部２１ｂを固着用孔２１ｃを介して固着具（図示せず）にて本体２１ａに取り付けることで発電機４を台座本体２１に内蔵している。
【００１３】
発電機４は、磁石４１とコイル４２と水車４３で主体が構成され、水車４３部分が流水路２０内に配設されて流水路２０内を流れる水によって水車４３が回転し、水車４３に連結された磁石４１又はコイル４２の一方が回転して電力を生じる。そして、前記電力にて発光する発光手段５を台座本体２１に設けてある。
【００１４】
発光手段５は、台座本体２１の上端部、即ちフランジ部２３の上側の外周側面の全周又は一部にＬＥＤを設けて構成され、上記発電機４に整流部（図示せず）及び電流制限抵抗（図示せず）を介して電気的に接続される。なお、整流部及び電流制限抵抗は発電機４に一体的に設けてもよく、また、発光手段５としてはＬＥＤに限定されない。
【００１５】
また、本実施形態の台座本体２１には、上下に貫通して内部に水栓金具３の通水路３０ａ，３０ｂが挿通される挿通孔２４が形成してあり、また更に、台座本体２１には、水栓金具３を固定するための上下に貫通した貫通孔２５が形成してある。
【００１６】
台座カバー２２は、大略逆さ椀状をしたもので、下端開口縁がカウンター面１１に載置されると共に内部の上端下面が台座本体２１の上端面に載置された状態で台座本体２１を覆い隠すものである。この台座カバー２２には、台座本体２１の発光手段５に対応する位置に透光可能な透光部２６を形成してあり、透光部２６は合成樹脂等にて形成される。また更に、台座カバー２２には、台座本体２１の挿通穴及び貫通孔２５とそれぞれ連通する連通孔２７ａ，２７ｂが貫通形成してある。
【００１７】
次に、上述した台座部２及び水栓金具３の取り付けについて説明する。
【００１８】
まず、台座本体２１の下端部を流し台１のカウンター面１１に形成した貫通穴１２に上方から挿入し、フランジ部２３を貫通穴１２の周縁部に載置する。そして、台座カバー２２を位置合わせした状態、即ち、透光部２６及び連通孔２７ａ，２７ｂを台座本体２１の発光手段５及び挿通孔２４，貫通孔２５にそれぞれ対応させた状態で台座本体２１の上端部に覆い被せる。そして、ナット部材２８を台座本体２１に螺合して台座部２１をカウンター面１１に締結固定する。
【００１９】
その後、水栓金具３の下方に突出する通水路３０ａ，３０ｂと突起３２とをそれぞれ台座カバー２２の連通孔２７を介して台座本体２１の挿通孔２４と貫通孔２５とに上方から挿入し、水栓金具３の下端部を台座部２の上面に載置する。そして、台座本体２１の貫通孔２５から下方に突出する下端部を台座部２の上面に下方に突出する通水路３０ａ，３０ｂと突起３２とをそれぞれ台座カバー２２の連通孔２７ａ，２７ｂを介して台座本体２１の挿通孔２４と貫通孔２５とに上方から挿入し、台座本体２１の下端部から下方に突出した状態で突起３２にナット３３を螺着して、水栓金具３を台座部２に固定する。
【００２０】
そして、流し台１の下方から例えば水道管のような配水管６を台座本体２１の流水路２０の上流端に接続すると共に、湯供給用の配管６１を水栓金具３の湯用の通水路３０ｂに接続する。そして更に、台座本体２１の流水路２０の下流端に略Ｊ字状の配管７を水栓金具３の水用の通水路３０ａに接続し、取り付けは完了する。なお、図中の符号８は配管を接続するための接続具を示す。
【００２１】
水栓金具３のレバーを上又は下に操作すると、水供給用の配管から台座本体２１の流水路２０、略Ｊ字状の配管７、水栓金具３の水用の通水路３０ａを介して吐水口３１から吐出される。この時、水が台座本体２１の流水路２０を通る際に水車４３を回転させて電力が生じ、その電力によって発光手段５のＬＥＤが発光し、台座カバー２２の透光部２６を通して照射するものである。また、台座部２に蓄電池（図示せず）を内蔵しておくことで、余剰電力を貯めて発電量が小さい時にその電力を使用したりすることができる。
【００２２】
【発明の効果】
上記のように本発明にあっては、既存の水栓金具をそのまま用いて発光手段及び発電機を設けることができて、発光手段及び発電機を内蔵した水栓金具を新たに設計・製造する必要がなく新規水栓金具の設計・製造コストがかからず、また、水栓金具を別途取り替える必要もなくユーザーの費用負担も抑えられ、既存の水栓金具に発光手段及び発電機能を容易に安価に付与することが可能となる。
【図面の簡単な説明】
【図１】本発明の一実施形態の要部側断面図である。
【図２】同上の台座部の一部切欠斜視図である。
【図３】同上の全体分解斜視図である。
【符号の説明】
１    流し台
１１  上面
２    台座部
２０  流水路
３    水栓金具
３０  通水路
４    発電機
５    発光手段
６    給水管
【図１】
2004353200.tif 000003
【図２】
2004353200.tif 000004
【図３】
2004353200.tif 000005